(57)【要約】【課題】録画データの重複録画を回避する。【解決手段】番組録画機能付きパーソナルコンピュータは、ユーザによるログインを管理するログイン管理部３０１と、ログイン中のユーザによる録画予約を受け付ける録画予約部３０２と、ユーザごとに用意されるユーザ個別フォルダ、および複数のユーザに共有される共有フォルダで管理されるデータを記憶領域に記憶するデータ記憶部１２１と、ログイン中のユーザによる録画予約が他のユーザによる録画予約と重複しない場合に該録画予約による録画データの保存先をユーザ個別フォルダに設定し、重複する場合に該録画予約による録画データの保存先を共有フォルダに設定する予約管理部３０３と、を備える。【選択図】図３
2008258843.tif 000002
【特許請求の範囲】
【請求項１】
ユーザのログイン状態を管理するログイン管理部と、
ログイン中のユーザによる録画予約を受け付ける録画予約部と、
ユーザごとに用意されるユーザ個別フォルダ、および複数のユーザに共有される共有フォルダで管理されるデータを記憶領域に記憶するデータ記憶部と、
ログイン中のユーザによる録画予約が他のユーザによる録画予約と重複しない場合に該録画予約による録画データの保存先を前記ユーザ個別フォルダに設定し、重複する場合に該録画予約による録画データの保存先を前記共有フォルダに設定する予約管理部と、
保存先が前記ユーザ個別フォルダに設定された録画予約に基づき作成した録画データを前記ユーザ個別フォルダに保存し、保存先が前記共有フォルダに設定された録画予約に基づき作成した録画データを前記共有フォルダに保存する録画処理部と、
を備えることを特徴とするパーソナルコンピュータ。
【請求項２】
ユーザのログイン状態を管理するログイン管理部と、
ログイン中のユーザによる録画予約を受け付ける録画予約部と、
ユーザごとに用意されるユーザ個別フォルダで管理されるデータを記憶領域に記憶するデータ記憶部と、
ログイン中のユーザによる録画予約が他のユーザによる録画予約と重複しない場合に該録画予約による録画データの保存先を前記ユーザ個別フォルダに設定し、重複する場合に該録画予約による録画データの保存先を、ネットワークを介して接続された別の記憶装置の共有フォルダに設定する予約管理部と、
保存先が前記ユーザ個別フォルダに設定された録画予約に基づき作成した録画データを前記ユーザ個別フォルダに保存し、保存先が前記共有フォルダに設定された録画予約に基づき作成した録画データを前記共有フォルダに保存する録画処理部と、
を備えることを特徴とするパーソナルコンピュータ。
【請求項３】
前記予約管理部は、録画予約が重複する録画データの保存先が共有フォルダに設定されたことをユーザに知らせることを特徴とする請求項１または２に記載の番組録画機能付きパーソナルコンピュータ。
【請求項４】
ユーザのログイン状態を管理するログイン管理機能と、
ログイン中のユーザによる録画予約を受け付ける録画予約機能と、
ログイン中のユーザによる録画予約が他のユーザによる録画予約と重複しない場合に該録画予約による録画データの保存先をユーザごとに用意されるユーザ個別フォルダに設定し、重複する場合に該録画予約による録画データの保存先を複数のユーザに共有される共有フォルダに設定する予約管理機能と、
保存先が前記ユーザ個別フォルダに設定された録画予約に基づき作成した録画データを前記ユーザ個別フォルダに保存し、保存先が前記共有フォルダに設定された録画予約に基づき作成した録画データを前記共有フォルダに保存する録画処理機能と、
をコンピュータに実現させる番組録画プログラム。
【請求項５】
前記録画処理機能は、ネットワークを介して接続された別の記憶装置の記憶領域を共有フォルダとして、録画予約が重複する録画データを保存することを特徴とする請求項４に記載の番組録画プログラム。
【請求項６】
前記予約管理機能は、録画予約が重複する録画データの保存先が共有フォルダに設定されたことをユーザに知らせることを特徴とする請求項４または５に記載の番組録画プログラム。
【発明の詳細な説明】
【技術分野】
【０００１】
本発明は、番組録画機能付きパーソナルコンピュータおよび番組録画プログラムに関する。
【背景技術】
【０００２】
従来文献（特許文献１）には、テレビジョン放送を録画する録画専用装置が示されている。この録画専用装置は、複数のユーザが同一番組の録画を予約した場合には、予約された録画データを録画すると共に、その録画データに対応するユーザ識別用ヘッダにおいて各ユーザに対応するフラグを変更する。
【特許文献１】特開２００６−７９７０７号公報
【発明の開示】
【発明が解決しようとする課題】
【０００３】
近年、テレビジョン放送の録画機能を有するパーソナルコンピュータが、例えば家庭内に置かれて複数のユーザにより利用されている。このような番組録画機能付きパーソナルコンピュータでは、複数のユーザが同一番組の録画を予約した場合でも、録画データの重複録画を回避して、録画用記憶領域を効率的に利用する必要がある。
【０００４】
但し、番組録画機能付きパーソナルコンピュータでは、上記従来文献に示される録画専用機器とは録画データの管理環境が大きく異なっている。すなわち、番組録画機能付きのパーソナルコンピュータでは、録画データはファイル管理アプリケーション（例えば、Windows Explorer（登録商標））により管理される。よって、パーソナルコンピュータにおける録画データの管理環境を考慮しつつ録画データの重複録画を回避する必要がある。
【０００５】
本発明は、上記の課題を解決するためになされたもので、録画データの重複録画を回避可能な番組録画機能付きパーソナルコンピュータおよび番組録画プログラムを提供することを目的とする。
【課題を解決するための手段】
【０００６】
上述した目的を達成するために、本発明に係る番組録画機能付きパーソナルコンピュータは、ユーザによるログインを管理するログイン管理部と、ログイン中のユーザによる録画予約を受け付ける録画予約部と、ユーザごとに用意されるユーザ個別フォルダ、および複数のユーザに共有される共有フォルダで管理されるデータを記憶領域に記憶するデータ記憶部と、ログイン中のユーザによる録画予約が他のユーザによる録画予約と重複しない場合に該録画予約による録画データの保存先をユーザ個別フォルダに設定し、重複する場合に該録画予約による録画データの保存先を共有フォルダに設定する予約管理部と、保存先がユーザ個別フォルダに設定された録画予約に基づき取得した録画データをユーザ個別フォルダに保存し、保存先が共有フォルダに設定された録画予約に基づき取得した録画データを共有フォルダに保存する録画処理部と、を備えることを特徴とする。
【０００７】
また、本発明に係る番組録画プログラムは、ユーザによるログインを管理するログイン管理機能と、ログイン中のユーザによる録画予約を受け付ける録画予約機能と、ログイン中のユーザによる録画予約が他のユーザによる録画予約と重複しない場合に該録画予約による録画データの保存先をユーザごとに用意されるユーザ個別フォルダに設定し、重複する場合に該録画予約による録画データの保存先を複数のユーザに共有される共有フォルダに設定する予約管理機能と、保存先がユーザ個別フォルダに設定された録画予約に基づき取得した録画データをユーザ個別フォルダに保存し、保存先が共有フォルダに設定された録画予約に基づき取得した録画データを共有フォルダに保存する録画処理機能と、をコンピュータに実現させる。
【発明の効果】
【０００８】
本発明によれば、録画データの重複録画を回避可能な番組録画機能付きパーソナルコンピュータおよび番組録画プログラムを提供することができる。
【発明を実施するための最良の形態】
【０００９】
以下、添付図面を参照して、本発明の好適な実施形態について詳細に説明する。なお、説明において、同一要素又は同一機能を有する要素には、同一符号を用いることとし、重複する説明は省略する。
【００１０】
［番組録画機能付きパーソナルコンピュータの構成］
図１および図２を参照して、本発明の実施形態に係る番組録画機能付きパーソナルコンピュータ１０の構成について説明する。本実施形態において、番組録画機能付きパーソナルコンピュータ１０は、ノートブック型パーソナルコンピュータとして実現されているが、デスクトップ型パーソナルコンピュータとして実現されてもよい。
【００１１】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１３】
入力操作パネル１５は、押下されたボタンに対応するイベントを入力する入力装置であり、複数の機能をそれぞれ起動するための複数のボタンを備えている。これらボタン群には、ＴＶ起動ボタン１５Ａも含まれている。ＴＶ起動ボタン１５Ａは、ＴＶ放送録画データの再生および記録を行うためのＴＶ機能を起動するためのボタンである。ＴＶ起動ボタン１５Ａがユーザによって押下された時、ＴＶ機能を実行するためのＴＶアプリケーションプログラムが起動される。
【００１４】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１５】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画／再生を即座に行うことが出来る。
【００１６】
次に、図２を参照して、本コンピュータ１０のシステム構成について説明する。
【００１７】
本コンピュータ１０は、図２に示すように、ＣＰＵ１１１、ノースブリッジ１１２、メインメモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、アナログＴＶチューナ１２３Ａ、デジタルＴＶチューナ１２３Ｂ、エンベデッドコントローラ／キーボードコントローラＩＣ（ＥＣ／ＫＢＣ）１２４、およびネットワークコントローラ１２５等を備えている。
【００１８】
ＣＰＵ１１１は本コンピュータ１０の動作を制御するために設けられたプロセッサであり、ハードディスクドライブ（ＨＤＤ）１２１からメインメモリ１１３にロードされる、主オペレーティングシステム（主ＯＳ）／副オペレーティングシステム（副ＯＳ）や、ＴＶアプリケーションプログラム１０１、およびファイル管理アプリケーションプログラム１０２等の各種アプリケーションプログラムを実行する。なお、主ＯＳおよび副ＯＳは、ユーザによる本コンピュータ１０へのログインを管理する機能を有している。
【００１９】
ＴＶアプリケーションプログラム１０１は、ユーザによる録画予約を管理する機能、録画予約された番組を録画してその録画データをハードディスク１２１に記憶する機能、およびハードディスク１２１に記憶された録画データを再生する機能を有している。
【００２０】
ファイル管理アプリケーションプログラム１０２は、ハードディスク１２１に記憶された各種データを管理するためのプログラムである。ファイル管理アプリケーションプログラム１０２は、ハードディスク１２１の記憶領域に複数のフォルダを生成し、各フォルダにデータを格納することで、ハードディスク１２１に記憶された各種データを管理する。特に本実施形態では、ファイル管理アプリケーションプログラム１０２は、ＴＶチューナ１２３Ａ，１２３Ｂにより受信された録画データを記憶するためのフォルダとして、各ユーザごとに用意されるユーザ個別フォルダと、複数のユーザに共有される共有フォルダとが生成する。なお、一般的に用いられるファイル管理アプリケーションプログラム１０２としては、例えばWindows Explorer（登録商標）が挙げられる。
【００２１】
また、ＣＰＵ１１１は、ＢＩＯＳ−ＲＯＭ１２０に格納されたシステムＢＩＯＳ（BasicInput Output System）も実行する。システムＢＩＯＳはハードウェア制御のためのプログラムである。
【００２２】
ノースブリッジ１１２はＣＰＵ１１１のローカルバスとサウスブリッジ１１９との間を接続するブリッジデバイスである。ノースブリッジ１１２には、メインメモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２３】
グラフィクスコントローラ１１４はＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２４】
サウスブリッジ１１９は、ＬＰＣ（Low Pin Count）バス上の各デバイス、およびＰＣＩ（PeripheralComponent Interconnect）バス上の各デバイスを制御する。また、サウスブリッジ１１９は、ＨＤＤ１２１、ＯＤＤ１２２を制御するためのＩＤＥ（IntegratedDrive Electronics）コントローラを内蔵している。さらに、サウスブリッジ１１９は、ＴＶチューナ１２３Ａ，１２３Ｂを制御する機能、およびＢＩＯＳ−ＲＯＭ１２０をアクセス制御するための機能も有している。
【００２５】
ＨＤＤ１２１は、各種ソフトウェアおよびデータを格納する記憶装置であり、特許請求の範囲に記載されるデータ記憶部に相当する。ＨＤＤ１２１は、ユーザにより登録された録画予約リストを記憶すると共に、ＴＶチューナ１２３Ａ，１２３Ｂにより受信された録画データを記憶する。録画予約リストは、録画予約された番組を特定するための録画予約情報（番組タイトル、放送チャンネル、放送時間等）、録画データの保存先を特定するための保存先設定情報（ユーザ個別フォルダまたは共有フォルダ）等を含んでいる。
【００２６】
光ディスクドライブ（ＯＤＤ）１２２は、ビデオコンテンツが格納されたＤＶＤ、ＣＤなどの記憶メディアを駆動するためのドライブユニットである。ＴＶチューナ１２３Ａ，１２３Ｂは、ＴＶ放送波を受信して、ＴＶ放送番組のような放送録画データを取得するための受信装置である。
【００２７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａの操作に応じて、本コンピュータ１０をパワーオンすることもできる。ネットワークコントローラ１２５は、例えばインターネットなどの外部ネットワークとの通信を実行する通信装置である。
【００２８】
［ＴＶアプリケーションプログラム］
図３は、本コンピュータ１０により実行されるＴＶアプリケーションプログラム１０１の機能ブロックを示している。ＴＶアプリケーションを構成する機能ブロックとしては、録画予約部３０２、予約管理部３０３、録画処理部３０４、再生処理部３０５等がある。なお、主ＯＳおよび副ＯＳの機能ブロックとしては、ログイン管理部３０１がある。
【００２９】
ログイン管理部３０１は、ユーザによる本コンピュータ１０へのログインを管理する。具体的には、ログイン管理部３０１は、本コンピュータ１０が起動された直後に、ユーザＩＤおよびパスワードの入力を促すログイン用画面を表示画面１７に表示するための処理を行い、ユーザによりユーザＩＤおよびパスワードが入力されると、ユーザＩＤおよびパスワードの組み合わせが適正か否かを判定する。ここで、ユーザＩＤおよびパスワードの組み合わせが適正である場合には、ログイン管理部３０１は、ユーザのログインを許可すると共に、本コンピュータ１０を使用するユーザを識別するための情報（ユーザ識別情報）を予約管理部３０３に引き渡す。
【００３０】
録画予約部３０２は、ユーザがキーボード１３やマウスなどを用いて番組の録画を予約する操作を行った場合に、その録画予約を受け付ける。そして、録画予約部３０２は、受け付けた新たな録画予約の情報を予約管理部３０３に引き渡す。
【００３１】
予約管理部３０３は、録画予約を管理する。録画予約を管理するために、ハードディスク１２１には録画予約リストが用意されている。予約管理部３０３は、ログイン中のユーザにより新たな録画予約があった場合には、ハードディスク１２１に記憶された録画予約リストを検索して、他のユーザにより同一番組の録画予約が既にされているか否かを判定する。ここで、同一番組の録画予約が未だされていない場合には、予約管理部３０３は、録画予約部３０２からの録画予約情報を録画予約リストに追加すると共に、ログイン管理部３０１からのユーザ識別情報に応じてその録画データの保存先をログイン中のユーザ用のユーザ個別フォルダに設定する。一方、同一番組の録画予約が既にされている場合には、予約管理部３０３は、その番組の保存先が共有フォルダに設定されるように録画予約リストを書き換える。
【００３２】
予約管理部３０３は、ログイン中のユーザが同一番組の録画予約をしたことにより、録画データの保存先が共有フォルダに設定された場合には、録画データの保存先が共有フォルダに設定された旨を表示画面１７に直ちに表示する。また、予約管理部３０３は、その後に他のユーザが本コンピュータ１０にログインした際に、録画データの保存先が共有フォルダに変更された旨を表示画面１７に表示する。これにより、ユーザは、録画データの保存先が共有フォルダであることを知ることができる。
【００３３】
録画処理部３０４は、ハードディスク１２１に記憶された録画予約リストを読み出して、録画予約リストに含まれる番組の放送時間になると当該番組を受信するようにＴＶチューナ１２３Ａ，１２３Ｂを制御すると共に、ＴＶチューナ１２３Ａ，１２３Ｂにより受信された録画データをハードディスク１２１に記憶する。録画処理部３０４は、録画予約リストにおいてその録画データの保存先がユーザ個別フォルダに設定されている場合には、その録画データをユーザ個別フォルダに記憶し、一方、その録画データの保存先が共有フォルダに設定されている場合には、その録画データを共有フォルダに記憶する。
【００３４】
再生処理部３０５は、ハードディスク１２１に記憶された録画データを読み出して、この録画データを再生して表示画面１７に表示するための処理を行う。なお、再生処理部３０５は、ＴＶチューナ１２３Ａ，１２３Ｂにより受信された受信データをリアルタイムに表示画面１７に表示することもできる。
【００３５】
図４は、本コンピュータ１０により実行されるＴＶアプリケーションプログラム１０１の処理のフローチャートであり、特に、録画予約を受け付けてから番組録画を行うまでの番組録画プログラムの処理のフローチャートである。
【００３６】
本コンピュータ１０の起動直後のログイン画面において、ユーザがキーボードを操作してユーザＩＤおよびパスワードを適正に入力すると、本コンピュータ１０はユーザのログインを許可する（Ｓ４０１）。また、本コンピュータ１０は、このユーザのログインによりユーザ識別情報を取得する。
【００３７】
ユーザがキーボードやマウスを操作してテレビジョン放送されるいずれかの番組を指定して録画予約を行うと、本コンピュータ１０は、ユーザによる録画予約を受け付ける（Ｓ４０２）。そして、本コンピュータ１０は、録画予約リストのデータベースを検索し、ログイン中のユーザにより録画予約された番組が他のユーザにより既に録画予約されているか否かを判定する（Ｓ４０３）。
【００３８】
ここで、ログイン中のユーザにより録画予約された番組が他のユーザにより未だ録画予約されていない場合には、本コンピュータ１０は、録画予約部３０２からの録画予約を録画予約リストに追加すると共に、ユーザ識別情報を元にその録画データの保存先をログイン中のユーザ用のフォルダに設定する（Ｓ４０４）。
【００３９】
一方、ログイン中のユーザにより録画予約された番組が他のユーザにより既に録画予約されている場合には、本コンピュータ１０は、その番組の保存先が共有フォルダに設定されるように録画予約リストを書き換える（Ｓ４０５）。そして、本コンピュータ１０は、図５に示されるように録画データの保存先が共有フォルダに変更された旨を表示画面に表示する（Ｓ４０６）。
【００４０】
その後、録画予約リストに登録された番組の放送時間になると、本コンピュータ１０は、その番組の録画を開始する（Ｓ４０７）。ここで、本コンピュータ１０は、録画予約リストにおいてその録画データの保存先がユーザ個別フォルダに設定されている場合には、その録画データをユーザ個別フォルダに記憶し、一方、その録画データの保存先が共有フォルダに設定されている場合には、その録画データを共有フォルダに記憶する。
【００４１】
図６は、予約管理部３０３による処理の一例を概略的に示している。ここでは、ユーザＡがタイトル１およびタイトル３の録画予約を行い、ユーザＢがタイトル２およびタイトル３の録画予約を行っている。予約管理部３０３は、ユーザＡのみが録画予約するタイトル１に関しては、録画データの保存先をユーザＡ用のユーザ個別フォルダに設定する。また、予約管理部３０３は、ユーザＢのみが録画予約するタイトル２に関しては、録画データの保存先をユーザＢ用のユーザ個別フォルダに設定する。また、予約管理部３０３は、ユーザＡおよびユーザＢが共に録画予約するタイトル３に関しては、録画データの保存先を共有フォルダに設定する。
【００４２】
ユーザＡは、ファイル管理アプリケーションプログラムを実行して、ユーザＡ用のユーザ個別フォルダを開くことにより、タイトル１の録画データを再生して視聴することができる。また、ユーザＢは、ファイル管理アプリケーションプログラムを実行して、ユーザＢ用のユーザ個別フォルダを開くことにより、タイトル２の録画データを再生して視聴することができる。また、ユーザＡおよびユーザＢは、ファイル管理アプリケーションプログラムを実行して、共有フォルダを開くことにより、タイトル３の録画データを再生して視聴することができる。
【００４３】
本実施形態の番組録画機能付きコンピュータ１０によれば、複数のユーザにより同一番組が録画予約された場合には、録画データの保存先を共有フォルダに設定するため、ファイル管理アプリケーションプログラム１０２が提供する録画データの管理環境に適応しつつ、録画データの重複録画を回避することができる。よって、ハードディスク１２１の記憶領域が無駄に使われることが防止されるため、ハードディスク１２１の記憶領域を他のデータを記憶するために有効に利用することができる。
【００４４】
特に、本実施形態のようにＴＶチューナ１２３Ａ，１２３Ｂが２つ以上ある場合には、録画予約リストに同一番組の録画予約が２つ以上あると、各ＴＶチューナにより録画データが受信されてハードディスク１２１に重複して記憶されることが考えられる。これに対して、本実施形態のコンピュータ１０では、上述したＴＶアプリケーションプログラム１０１の処理により、同一番組の録画予約は１つだけになるため、２つ以上のＴＶチューナにより同一の録画データが２つ以上記憶される事態を確実に回避することができる。
【００４５】
なお、上述した実施形態では、コンピュータ１０は、録画された録画データをハードディスク１２１に保存しているが、他の実施形態では、コンピュータ１０は、光ディスク１２２の記憶領域をユーザ個別フォルダおよび／または共有フォルダとして、録画された録画データを保存してもよい。さらに他の実施形態では、コンピュータ１０は、家庭内ネットワークを介して接続された別の記憶装置の記憶領域をユーザ個別フォルダおよび／または共有フォルダとして、録画された録画データを保存してもよい。別の記憶装置を利用することにより、ハードディスク１２１の記憶容量が不足した状況に対処することができる。
【図面の簡単な説明】
【００４６】
【図１】本実施形態の番組録画機能付きパーソナルコンピュータの外観を示す斜視図である。
【図２】本実施形態の番組録画機能付きパーソナルコンピュータの内部構成を示すブロック図である。
【図３】ＴＶアプリケーションプログラムの機能ブロック図である。
【図４】ＴＶアプリケーションプログラムのフローチャートである。
【図５】ユーザに録画データの保存先変更を知らせる表示画面である。
【図６】録画データの保存先設定の一例を概略的に示す図である。
【符号の説明】
【００４７】
１０…ノートブック型パーソナルコンピュータ、１１…コンピュータ本体、１２…ディスプレイユニット、１０１…ＴＶアプリケーションプログラム、１０２…ファイル管理アプリケーションプログラム、１２１…ハードディスク、１２２…光ディスク、１２３Ａ，１２３Ｂ…ＴＶチューナ、３０１…ログイン管理部、３０２…録画予約部、３０３…予約管理部、３０４…録画処理部、３０５…再生処理部
【図１】
2008258843.tif 000003
【図２】
2008258843.tif 000004
【図３】
2008258843.tif 000005
【図４】
2008258843.tif 000006
【図５】
2008258843.tif 000007
【図６】
2008258843.tif 000008